(57)【要約】      （修正有）【課題】構造が非常に単純で、組立て及び生産が容易であり、電力量計の取替えの際、電源の遮断なしでも簡単な操作だけで便利に取替え作業を実施することができる無停電電力量計取替用端子台を提供する。【解決手段】上方に開口し、多数の電線挿入部１２０が形成された端子台本体１００と、主電源側ラインが電気的に連結される主電源側電源入力端子２４０と、主電源側電源入力端子２４０を通じて入力された電源を供給する電力量計電源入力端子２５０と、電力量計から出力される電源を需要家側電源入力端子２７０に供給する電力量計電源出力端子２６０と、需要家に電源を供給する需要家側電源入力端子２７０と、電力量計電源出力端子２６０と需要家側電源入力端子２７０を選択的に電気的に連結するコネクター２９０とを備え、端子台本体１００に設置される電源連結部２００と、端子台本体１００の開口部に着脱可能に設置される本体カバー３００と、を含む。【選択図】図３
2014066697.tif 000002
【特許請求の範囲】
【請求項１】
電源連結部が内側で配線できるように内部が上方に開口し、周囲にはそれぞれの電線が押し込まれて電源連結部に電気的に連結されるように多数の電線挿入部が形成された端子台本体と；
主電源側ラインが電気的に連結される主電源側電源入力端子と、電力量計に電気的に連結され、前記主電源側電源入力端子を通じて入力された電源を供給する電力量計電源入力端子と、前記電力量計に電気的に連結され、電力量計から出力される電源を需要家側電源入力端子に供給する電力量計電源出力端子と、前記電力量計電源出力端子とコネクターを介して選択的に電気的に連結され、需要家に電源を供給する需要家側電源入力端子と、前記電力量計電源出力端子と需要家側電源入力端子を選択的に電気的に連結するコネクターとを備え、前記端子台本体に設置される電源連結部と；
前記端子台本体の開口部に着脱可能に設置される本体カバーと；を含むことを特徴とする、無停電電力量計取替用端子台。
【請求項２】
前記主電源側ラインが電気的に連結される主電源側電源入力端子の反対側には、前記主電源側電源入力端子に電気的に直列で連結される分電用電源入力端子がさらに備えられることを特徴とする、請求項１に記載の無停電電力量計取替用端子台。
【請求項３】
前記本体カバーは、外部から内部を確認することができるように、透明に製造されたことを特徴とする、請求項１に記載の無停電電力量計取替用端子台。
【請求項４】
前記コネクターはボルトであることを特徴とする、請求項１〜３のいずれか一項に記載の無停電電力量計取替用端子台。
【発明の詳細な説明】
【技術分野】
【０００１】
本発明は電力量計に連結される端子台に係り、より詳しくは既存の電力量計を新しい電力量計に取り替えるとき、停電を引き起こさなくても取替え作業を実施することができる端子台に関する。
【背景技術】
【０００２】
一般に、電力量計は使用電力を肉眼で確認するために設置されるゲージであり、このような電力量計には機械式とデジタル式がある。
【０００３】
このような、電力量計の取替え作業は、人命事故（例えば、感電事故）を防止するために、停電状態で作業を実施しなければならない。
【０００４】
しかし、電力量計は通常狭小な所に設置されているため、狭小な作業空間で作業を実施する場合、作業時間が長くかかり、そのため長時間にわたって停電状態を持続しなければならないので、電気の使用が必要な世帯や工場では電気を全然使うことができず、これによるクレームが発生する根本的な問題があった。
【０００５】
前記のような問題を解消するためになされたものとしては特許文献１がある。これを手短に説明すれば、主電源側電源入力端子と、電力量計電源入力端子と、電力量計電源出力端子と、需要家側電源入力端子と、電力量計スイッチング手段と、需要家側スイッチング手段と、分岐用接点端子と、バイパススイッチング手段とが開示されている。
【０００６】
この特許文献１に開示された技術によれば、電力量計スイッチング手段、需要家側スイッチング手段及びバイパススイッチング手段によって電力量計に向かう電源を完全に遮断した状態で電力量計の取替え作業が行われるので、感電による安全事故を防止することができる効果がある。
【０００７】
しかし、前記開示された技術の場合、それぞれの端子及びスイッチング手段が個別的に構成されているため、製造コストが根本的に上昇するしかなく、さらに組立てにおいても構成部品点数が多くて組立てが煩わしくて組立て時間が長くかかるしかない。しかも、電力量計電源入力端子と電力量計電源出力端子がいずれも露出しているため、電源を全く遮断した状態でばかり取替え作業を行うしかなく、ひいては電源を全く遮断するためには、作業者が電力量計側スイッチング手段、需要家側スイッチング手段及びバイパススイッチング手段をすべて操作することで電源が遮断され、入替え作業の後には反対に電力量計側スイッチング手段、需要家側スイッチング手段及びバイパススイッチング手段をすべて操作することで電源が連結されるので、作業がかなり不便な根本的な問題があった。
【先行技術文献】
【特許文献】
【０００８】
【特許文献１】大韓民国登録特許第１０−０９０４５６２号明細書
【発明の概要】
【発明が解決しようとする課題】
【０００９】
本発明は前記のような問題を解決するためになされたもので、構造が非常に単純で、組立て及び生産が容易であり、電力量計の取替えの際、当該世帯への電源の遮断なしでも簡単な操作だけで便利に取替え作業を実施することができる無停電電力量計取替用端子台を提供することをその目的とする。
【課題を解決するための手段】
【００１０】
前記目的を達成するための本発明は、電源連結部が内側で配線できるように内部が上方に開口し、周囲にはそれぞれの電線が押し込まれて電源連結部に電気的に連結されるように多数の電線挿入部が形成された端子台本体と；主電源側ラインが電気的に連結される主電源側電源入力端子と、電力量計に電気的に連結され、前記主電源側電源入力端子を通じて入力された電源を供給する電力量計電源入力端子と、前記電力量計に電気的に連結され、電力量計から出力される電源を需要家側電源入力端子に供給する電力量計電源出力端子と、前記電力量計電源出力端子とコネクターを介して選択的に電気的に連結され、需要家に電源を供給する需要家側電源入力端子と、前記電力量計電源出力端子と需要家側電源入力端子を選択的に電気的に連結するコネクターとを備え、前記端子台本体に設置される電源連結部と；前記端子台本体の開口部に着脱可能に設置される本体カバーと；を含むことを特徴とする。
【００１１】
本発明において、前記主電源側ラインが電気的に連結される主電源側電源入力端子の反対側には、前記主電源側電源入力端子に電気的に直列で連結される分電用電源入力端子がさらに備えられることができる。
【００１２】
本発明において、前記本体カバーは、外部から内部を確認することができるように、透明に製造されることができる。
【００１３】
本発明において、前記コネクターはボルトであってもよい。
【発明の効果】
【００１４】
主電源側電源が持続的に供給されている状態でコネクターによって主電源側電源入力端子と需要家側電源入力端子を電気的に易しく連結することができるので、電力量計の取替えの際、当該世帯への電源の遮断なしでも便利に取替え作業を遂行することができ、断電によるクレーム発生を根本的に解消することができ、さらにコネクターの簡単な操作だけで電源の遮断なしに取替え作業を実施することができるので、作業者の立場では取替え作業がよほど便利となって作業能率が向上し、ひいては取替え作業がよほど便利で短時間内に広い地域で実施できるので、作業時間の短縮及び人件費を大幅に節減することができる利点がある。
【００１５】
また、端子台を構成する部品点数が比較的少なくて組立て生産がより容易であるとともに製造コストも画期的に低下させることができる利点がある。
【図面の簡単な説明】
【００１６】
【図１】本発明による無停電電力量計取替用端子台の概略図である。
【図２】本発明による無停電電力量計取替用端子台の結合斜視図及び分解斜視図である。
【図３】本発明による無停電電力量計取替用端子台の結合斜視図及び分解斜視図である。
【図４】本発明による無停電電力量計取替用端子台において電源連結部を別に抜粋して示す分解斜視図である。
【図５】図２のＡ−Ａ’線についての断面図である。
【図６】本発明による無停電電力量計取替用端子台の使用状態を説明する図である。
【図７ａ】本発明による無停電電力量計取替用端子台において電力量計の取替え過程を説明する図である。
【図７ｂ】本発明による無停電電力量計取替用端子台において電力量計の取替え過程を説明する図である。
【発明を実施するための形態】
【００１７】
以下、本発明を添付図面に基づいて詳細に説明する。
【００１８】
図１を参照すれば、本発明による無停電電力量計取替用端子台は、端子台本体１００、電源連結部２００及び本体カバー３００からなるもので、電気計量器箱１に設置され、電力量計２に電気的に連結される。
【００１９】
図２及び図３を参照すれば、前記端子台本体１００は電力量計２が設置された電気計量器箱１に着脱可能に設置される。
【００２０】
前記端子台本体１００の内部には多数の連結帯装着部１１０が一体に形成され、前記連結帯装着部１１０には電源連結部２００をなす第１、第２及び第３連結帯２１０、２２０、２３０が区分されて収納される。
【００２１】
また、外部からそれぞれの電線が押し込まれて電源連結部２００の各端子２４０、２５０、２６０、２７０、２８０に電気的に連結されるように、多数の電線挿入部１２０が端子台本体１００の周壁に形成されている。
【００２２】
図２〜図４を参照すれば、前記電源連結部２００は、電気計量器箱１に設置された既存の電力量計２を新しい電力量計２に取り替えようとするとき、主電源側から導入される電源を遮断しなくても需要家及び他の世帯に連結できるようにする機能を有する。
【００２３】
前記電源連結部２００は、第１、第２及び第３連結帯２１０、２２０、２３０、前記第１、第２及び第３連結帯２１０、２２０、２３０の末端部に形成され、それぞれの電線に電気的に連結される端子２４０、２５０、２６０、２７０、２８０、及びコネクター２９０でなる。
【００２４】
図３を参照すれば、前記第１、第２及び第３連結帯２１０、２２０、２３０の間には電気的な接触を根本的に遮断することが好ましい。このために、第２連結帯２２０の場合には、第１連結帯２１０と交差する金属部分を下向きに折り曲げることで電気的な接触を防止し、第３連結帯２３０の場合には、第１及び第２連結帯２１０、２２０と交差する中間部分を下向きに折り曲げることで電気的な接触を防止した。
【００２５】
また、前記第１、第２及び第３連結帯２１０、２２０、２３０には端子２４０、２５０、２６０、２７０、２８０がそれぞれ一体に形成される。
【００２６】
図１に示すように、前記第１、第２及び第３連結帯２１０、２２０、２３０の中で、第１及び第３連結帯２１０、２３０には主電源側ラインの活線が電気的に連結され、第２連結帯２２０には主電源側ラインの中性線が電気的に連結される。
【００２７】
図３を参照すれば、まず、主電源側電源入力端子２４０は第１及び第２連結帯２１０、２２０の左側に形成されたもので、主電源側ラインが電線挿入部１２０（図３参照）を通じて内側に挿入され、主電源側電源入力端子２４０に設けられた固定手段（例えば、ネジ、ボルトなど）によって固定される。
【００２８】
前記主電源側ラインには活線と中性線が押し込まれる。ここで、活線と中性線はそれぞれ第１連結帯２１０と第２連結帯２２０の端子２４０にそれぞれ設置される。
【００２９】
電力量計電源入力端子２５０は第１及び第２連結帯２１０、２２０の上部左側に形成されたもので、電力量計２に電気的に連結され、主電源側電源入力端子２４０を介して入力された電源を供給する機能を有する。
【００３０】
一例として、前記電力量計２から引き出される一対の電線は電線挿入部１２０（図３参照）を通じて電力量計電源入力端子２５０の内側に挿入され、電力量計電源入力端子２５０に設けられた固定手段（例えば、ネジ、ボルトなど）によって固定される。
【００３１】
電力量計電源出力端子２６０は第２及び第３連結帯２２０、２３０の上部右側に形成されたもので、電力量計２に電気的に連結され、電力量計２から出力される電源を需要家側電源入力端子２７０に供給する機能を有する。
【００３２】
一例として、前記電力量計２から引き出される一対の電線は電線挿入部１２０（図３参照）を通じて電力量計電源出力端子２６０の内側に挿入され、電力量計電源出力端子２６０に設けられた固定手段（例えば、ネジ、ボルトなど）によって固定される。
【００３３】
需要家側電源入力端子２７０は第２及び第３連結帯２２０、２３０の下部に形成されたもので、電力量計電源出力端子２６０にコネクター２９０を介して選択的に電気的に連結されて、需要家に電源を供給する機能を有する。
【００３４】
一例として、世帯から引き出された一対の電線は電線挿入部１２０（図３参照）を通じて需要家側電源入力端子２７０の内側に挿入され、需要家側電源入力端子２７０に設けられた固定手段（ネジ、ボルトなど）によって固定される。
【００３５】
分電用電源入力端子２８０は第１及び第２連結帯２１０、２２０の右側に形成されたもので、主電源側電源入力端子２４０に電気的に直列で連結され、他の世帯に電源を供給する機能を有する。
【００３６】
一例として、他の世帯から引き出される一対の電線は電線挿入部１２０（図３参照）を通じて分電用電源入力端子２８０の内側に挿入され、分電用電源入力端子２８０に設けられた固定手段（ネジ、ボルトなど）によって固定される。
【００３７】
したがって、図６に示すように、主電源側ラインを別に引き出して各世帯に連結する必要なしに、一つの世帯を介して多数の世帯に主電源側の電源を容易に供給することができるので、管理が非常に便利となる利点がある。
【００３８】
一方、前記第１連結帯２１０と第３連結帯２３０は第１連結帯２１０に設けられたコネクター２９０を介して選択的に電気的に連結されるという点に注目する必要がある。
【００３９】
ここで、前記コネクター２９０はボルトであり、特にコネクター２９０、つまりボルトの頭部には通電を遮断するように、合成樹脂または合成ゴムが形成されることが好ましい。
【００４０】
前記のように、コネクター２９０、つまりボルトの頭部に合成樹脂または合成ゴムを形成することで、主電源側の電気が通電している状態で作業者がコネクター２９０に工具（例えば、ドライバーなど）を接触しても感電及びスパークの発生を最小化することができるので、作業者を安全事故から保護することができるようになる。
【００４１】
例えば、従来は、電気計量器箱１に設置された老朽化した電力量計２を新しい電力量計２に取り替えるために、作業者の安全問題を考慮して主電源側電源を断電させた状態で取替え作業を実施するようになる。これにより、需要家への電源供給が一定時間遮断されるしかなく、電気の使用が必要な世帯や工場では電気を全然使うことができなくなるので、これによるクレームが発生する根本的な問題があった。
【００４２】
しかし、本実施例によれば、主電源側電源が持続的に供給されている状態でコネクター２９０によって主電源側電源入力端子２４０と需要家側電源入力端子２７０を電気的に互いに連結することができるので、既存のように取替え作業による主電源側断電問題を根本的に解消しながらも世帯及び工場への電源供給はなだらかに維持することができ、クレーム問題を根本的に解消することができる。
【００４３】
一実施例として、前記電源連結部２００を公知のバスバー（ｂｕｓ  ｂａｒ）型に形成したが、必要によって公知の多様な形態に変形して実施することができる。
【００４４】
また、一実施例として、前記第１、第２及び第３連結帯２１０、２２０、２３０の末端部に端子２４０、２５０、２６０、２７０、２８０を一体に形成したが、必要によって個別的に形成してから互いに結合して一体型に製造することもできる。
【００４５】
前記本体カバー３００は外部人の接触を遮断するために端子台本体１００の開口部を開閉するためのものである。前記本体カバー３００は端子台本体１００に装着され、締結手段（例えば、ネジ、ボルトなど）によって固定される。
【００４６】
特に、前記本体カバー３００は、管理者が内部を易しく確認することができるように、全部または一部を透明に製造することが好ましい。
【００４７】
前記端子台本体１００と本体カバー３００を互いに分離される方式で記載及び図示したが、これはただ一実施例に過ぎなく、端子台本体１００と本体カバー３００をヒンジを介して回動可能に設置することもでき、必要によって前記本体カバー３００の外部から内部を確認することができるように透明に製造し、電力量計２の部分と端子台本体１００の部分を同時にカバーすることができるように変形して実施することもできる。
【００４８】
前記のような構成の本発明の使用状態を説明すれば次のようである。
【００４９】
図１及び図６を参照すれば、電気計量器箱１の前面に電力量計２を設置し、電力量計２の下部には本発明による端子台を設置する。
【００５０】
そして、前記端子台を構成する本体カバー３００を端子台本体１００から離脱させた状態で、電力量計２から引き出される電線をそれぞれ電力量計電源入力端子２５０と電力量計電源出力端子２６０に連結させ、需要家側電源入力端子２７０には当該世帯から引き出される電線を連結させる。
【００５１】
その後、主電源側ラインを電線挿入部１２０に挿入して主電源側電源入力端子２４０に連結させる。
【００５２】
また、必要によって他の世帯に供給するための電力量計を新設しようとする場合には、他の世帯から引き出される電線、つまり新設の電力量計の１次側電線を分電用電源入力端子２８０に連結（締結）させれば良い。
【００５３】
前記のように配線連結した後には、分離された本体カバー３００で端子台本体１００の開口部を閉鎖（封印）させれば良い。
【００５４】
したがって、前記のように配線されれば、主電源側ラインを介して電源が供給され、電力量計２を通じて当該世帯に電源が供給される。
【００５５】
一方、前記のように設置された状態で、既存の電力量計２の老朽化のため新しい電力量計に取り替えようとする場合には、まず、本体カバー３００を端子台本体１００から離脱させた状態で、作業者が工具（例えば、ドライバーなど）で第１連結帯２１０に締結されたコネクター２９０を回すと、螺合されたコネクター２９０が下降して第３連結帯２３０に電気的に連結される。この際、作業者は既存の電力量計２から引き出されて電力量計電源入力端子２５０と電力量計電源出力端子２６０に連結された電線を分離させた後、新しい電力量計２を電気計量器箱１に設置する。これは図７ａ及び７ｂに示されている。
【００５６】
その後、新しい電力量計２から引き出される電線をそれぞれ電力量計電源入力端子２５０と電力量計電源出力端子２６０に連結すれば良い。
【００５７】
一方、一実施例として単相のものを図示し記載したが、これはただ一実施例に過ぎない。例えば、必要によって前記のような構成によって３相に構成して実施することができる。
【００５８】
また、封印構造はすでに当該部分で広く知られた技術なので、これについての説明は省略する。
【００５９】
本発明によれば、主電源が持続的に供給されている状態で、コネクター２９０を介して主電源側電源入力端子２４０と需要家側電源入力端子２７０を電気的に互いに連結することができるので、従来のように取替え作業による主電源側断電問題を根本的に解消することができながらも世帯への電源供給はなだらかに維持することができ、よってクレーム問題を根本的に解消することができる利点がある。
【００６０】
また、本発明の端子台を構成する部品点数が比較的少なくて組立て及び生産がよほど便利でありながらも製造コストも画期的に低下させることができる利点がある。
【００６１】
本発明は以上の具体的な実施例のみについて詳細に説明されたが、本発明の技術思想範囲内で多様に変形及び修正することができるのは当業者に自明なものであり、このような変形及び修正が添付の特許請求範囲に属することはいうまでもない。
【産業上の利用可能性】
【００６２】
本発明は、既存の電力量計を新しい電力量計に取り替えるとき、停電を引き起こさなくても取替え作業を実施することができる端子台に適用可能である。
【符号の説明】
【００６３】
１    電気計量器箱
２    電力量計
１００    端子台本体
１１０    連結帯挿入部
１２０    電線挿入部
２００    電源連結部
２１０    第１連結帯
２２０    第２連結帯
２３０    第３連結帯
２４０    主電源側電源入力端子
２５０    電力量計電源入力端子
２６０    電力量計電源出力端子
２７０    需要家側電源入力端子
２８０    分電用電源入力端子
２９０    コネクター
３００    本体カバー
【図１】
2014066697.tif 000003
【図２】
2014066697.tif 000004
【図３】
2014066697.tif 000005
【図４】
2014066697.tif 000006
【図５】
2014066697.tif 000007
【図６】
2014066697.tif 000008
【図７ａ】
2014066697.tif 000009
【図７ｂ】
2014066697.tif 000010